(57)【要約】【課題】スタンバイ状態から稼働状態に移行した場合に、早期に映像を出力する。【解決手段】デジタル放送受信機のメインＣＰＵ１１は、主電源が投入された場合に、ＩＣカード３の初期化処理を実行する初期化実行部１１１を備え、サブＣＰＵ２１は、初期化実行部１１１によって初期化処理が完了しているか否かを判定する初期化判定部２１３と、リモコン４を介して受け付けられた操作入力に基づいて、稼働状態及び省電力状態であるスタンバイ状態の一方に設定する状態設定部２１４と、スタンバイ状態に設定され、且つ、初期化判定部２１３によって初期化処理が完了していると判定された場合に、ＩＣカード３の初期化処理が完了した状態を保持する完了状態保持部２１５と、を備えている。【選択図】図２
2009016991.tif 000002
【特許請求の範囲】
【請求項１】
暗号化されたＡＶ（Ａｕｄｉｏ／Ｖｉｓｕａｌ）情報を受け付けて、受け付けられたＡＶ情報を、着脱自在に構成されたＰＣカードを介して復号化して出力する復号化処理装置であって、
主電源が投入された場合に、前記ＰＣカードの初期化処理を実行する初期化実行手段と、
前記初期化実行手段によって初期化処理が完了しているか否かを判定する初期化判定手段と、
外部からの操作入力を受け付け、受け付けられた操作入力に基づいて、該装置を、ＡＶ情報を復号化して出力することが可能な状態である稼働状態、及び、ＡＶ情報を復号化して出力することが不可能な省電力状態であるスタンバイ状態の一方に設定する状態設定手段と、
前記状態設定手段によってスタンバイ状態に設定され、且つ、前記初期化判定手段によって初期化処理が完了していると判定された場合に、前記ＰＣカードの初期化処理が完了した状態を保持する完了状態保持手段と、
を備えることを特徴とする復号化処理装置。
【請求項２】
前記ＰＣカードへ、電力、及び、通信を制御するためのクロック信号を供給する供給手段を備え、
前記完了状態保持手段は、前記状態設定手段によってスタンバイ状態に設定され、且つ、前記初期化判定手段によって初期化処理が完了していると判定された場合に、前記供給手段に対して、前記ＰＣカードへの電力及びクロック信号の供給を継続させることを特徴とする請求項１に記載の復号化処理装置。
【請求項３】
前記状態設定手段によって稼働状態に設定され、且つ、前記初期化判定手段によって初期化処理が完了していないと判定された場合に、前記初期化実行手段に対して前記ＰＣカードの初期化処理を実行させる初期化指示手段を備えることを特徴とする請求項２に記載の復号化処理装置。
【請求項４】
前記ＰＣカードが装着されているか否かを判定する着脱判定手段を備え、
前記初期化指示手段は、前記着脱判定手段によって前記ＰＣカードが装着されたと判定された場合に、前記初期化実行手段に対して前記ＰＣカードの初期化処理を実行させることを特徴とする請求項３に記載の復号化処理装置。
【請求項５】
該復号化処理装置全体の制御を行うメインＣＰＵと、
該復号化処理装置の電力制御を行うサブＣＰＵと、
を備え、
前記サブＣＰＵは、少なくとも、前記初期化判定手段、状態設定手段、着脱判定手段、完了状態保持手段、及び、初期化指示手段として機能することを特徴とする請求項４に記載の復号化処理装置。
【請求項６】
前記サブＣＰＵは、更に、前記初期化実行手段として機能することを特徴とする請求項５に記載の復号化処理装置。
【請求項７】
前記ＡＶ情報を、デジタル放送を介して受信する受信手段と、
請求項１〜請求項６のいずれかに記載の復号化処理装置と、
を備え、
前記受信手段によってデジタル放送が受信され、前記ＰＣカードを介して復号化されたＡＶ情報を、モニタ及びスピーカに出力することを特徴とするデジタル放送受信装置。
【請求項８】
暗号化されたＡＶ（Ａｕｄｉｏ／Ｖｉｓｕａｌ）情報を受け付けて、受け付けられたＡＶ情報を、着脱自在に構成されたＰＣカードを介して復号化して出力する復号化処理方法であって、
主電源が投入された場合に、前記ＰＣカードの初期化処理を実行する初期化実行ステップと、
前記初期化実行ステップにおいて初期化処理が完了しているか否かを判定する初期化判定ステップと、
外部からの操作入力を受け付け、受け付けられた操作入力に基づいて、該装置を、ＡＶ情報を復号化して出力することが可能な状態である稼働状態、及び、ＡＶ情報を復号化して出力することが不可能な省電力状態であるスタンバイ状態の一方に設定する状態設定ステップと、
前記状態設定ステップにおいてスタンバイ状態に設定され、且つ、前記初期化判定ステップにおいて初期化処理が完了していると判定された場合に、前記ＰＣカードの初期化処理が完了した状態を保持する完了状態保持ステップと、
を実行することを特徴とする復号化処理方法。
【発明の詳細な説明】
【技術分野】
【０００１】
近年、デジタル放送の普及に伴い、放送局と視聴者との間における双方向通信も可能となり、番組毎に課金する有料放送も可能となった。有料放送を行う放送システムにおいては、視聴者を識別して視聴が許可された視聴者に対してのみ、番組の視聴を可能とする仕組みが必要となる。例えば、ＢＳデジタル放送を受信する場合には、受信装置毎にＢ−ＣＡＳ（ＢＳ  Ｃｏｎｄｉｔｉｏｎａｌ  Ａｃｃｅｓｓ  Ｓｙｓｔｅｍ）カードというＩＣカードが必要とされ、暗号化された（＝スクランブルのかけられた）放送信号を復号化（＝デスクランブル）するためには、この放送局（＝番組提供者）側と契約し、復号化するための情報を記憶したＢ−ＣＡＳカードが不可欠である。
【０００２】
有料放送を行う放送システムに関しては、種々の装置、方法等が提案されている。例えば、内部にＢ−ＣＡＳカード機能及びＳ−ＣＡＳカード機能を備えたＩＣカードが挿入さデジタル放送を受信した時には限定受信放送用ＩＣカード内部のＢ−ＣＡＳカード機能を、サーバ型放送受信した時には限定受信放送用ＩＣカード内部のＳ−ＣＡＳカード機能を用いて視聴者認証を受け、コンテンツ信号の復号化を行う受信装置が開示されている（特許文献１参照）。
【特許文献１】特開２００７−１３６８５号公報
【発明の開示】
【発明が解決しようとする課題】
【０００３】
しかしながら、上記受信装置等の従来のデジタル放送受信装置においては、リモートコントローラ等を介してスタンバイ状態（＝省電力状態）から電源ＯＮ状態（＝受信可能状態：以下、「稼働状態」という）に変化された場合には、通信速度の設定等のＩＣカード（ここでは、ＣＰＵ（Ｃｅｎｔｒａｌ  Ｐｒｏｃｅｓｓｉｎｇ  Ｕｎｉｔ）が搭載されたＰＣ（Ｐｅｒｓｏｎａｌ  Ｃｏｍｐｕｔｅｒ）カード）の初期化処理を行う必要があるため、復号化（＝デスクランブル）処理が可能となるまでに時間を要するので、映像が出力されるまでに時間を要し、利便性が充分ではない場合があった。
【０００４】
本発明は、上記課題に鑑みてなされたものであって、スタンバイ状態から稼働状態に移行した場合に、早期に映像を出力すること可能な復号化処理装置、復号化処理方法及びデジタル放送受信装置を提供することを目的としている。
【課題を解決するための手段】
【０００５】
上記目的を達成するために請求項１に記載の復号化処理装置は、暗号化されたＡＶ（Ａｕｄｉｏ／Ｖｉｓｕａｌ）情報を受け付けて、受け付けられたＡＶ情報を、着脱自在に構成されたＰＣカードを介して復号化して出力する復号化処理装置であって、主電源が投入された場合に、前記ＰＣカードの初期化処理を実行する初期化実行手段と、前記初期化実行手段によって初期化処理が完了しているか否かを判定する初期化判定手段と、外部からの操作入力を受け付け、受け付けられた操作入力に基づいて、該装置を、ＡＶ情報を復号化して出力することが可能な状態である稼働状態、及び、ＡＶ情報を復号化して出力することが不可能な省電力状態であるスタンバイ状態の一方に設定する状態設定手段と、前記状態設定手段によってスタンバイ状態に設定され、且つ、前記初期化判定手段によって初期化処理が完了していると判定された場合に、前記ＰＣカードの初期化処理が完了した状態を保持する完了状態保持手段と、を備えることを特徴としている。
【０００６】
請求項２に記載の復号化処理装置は、請求項１に記載の復号化処理装置であって、前記ＰＣカードへ、電力、及び、通信を制御するためのクロック信号を供給する供給手段を備え、前記完了状態保持手段が、前記状態設定手段によってスタンバイ状態に設定され、且つ、前記初期化判定手段によって初期化処理が完了していると判定された場合に、前記供給手段に対して、前記ＰＣカードへの電力及びクロック信号の供給を継続させることを特徴としている。
【０００７】
請求項３に記載の復号化処理装置は、請求項２に記載の復号化処理装置であって、前記状態設定手段によって稼働状態に設定され、且つ、前記初期化判定手段によって初期化処理が完了していないと判定された場合に、前記初期化実行手段に対して前記ＰＣカードの初期化処理を実行させる初期化指示手段を備えることを特徴としている。
【０００８】
請求項４に記載の復号化処理装置は、請求項３に記載の復号化処理装置であって、前記ＰＣカードが装着されているか否かを判定する着脱判定手段を備え、前記初期化指示手段が、前記着脱判定手段によって前記ＰＣカードが装着されたと判定された場合に、前記初期化実行手段に対して前記ＰＣカードの初期化処理を実行させることを特徴としている。
【０００９】
請求項５に記載の復号化処理装置は、請求項４に記載の復号化処理装置であって、該復号化処理装置全体の制御を行うメインＣＰＵと、該復号化処理装置の電力制御を行うサブＣＰＵと、を備え、前記サブＣＰＵが、少なくとも、前記初期化判定手段、状態設定手段、着脱判定手段、完了状態保持手段、及び、初期化指示手段として機能することを特徴としている。
【００１０】
請求項６に記載の復号化処理装置は、請求項５に記載の復号化処理装置であって、サブＣＰＵが、更に、前記初期化実行手段として機能することを特徴としている。
【００１１】
請求項７に記載のデジタル放送受信装置は、前記ＡＶ情報を、デジタル放送を介して受信する受信手段と、請求項１〜請求項６のいずれかに記載の復号化処理装置と、を備え、前記受信手段によって受信され、前記ＰＣカードを介して復号化されたＡＶ情報を、モニタ及びスピーカに出力することを特徴としている。
【００１２】
請求項８に記載の復号化処理方法は、暗号化されたＡＶ（Ａｕｄｉｏ／Ｖｉｓｕａｌ）情報を受け付けて、受け付けられたＡＶ情報を、着脱自在に構成されたＰＣカードを介して復号化して出力する復号化処理方法であって、主電源が投入された場合に、前記ＰＣカードの初期化処理を実行する初期化実行ステップと、前記初期化実行ステップにおいて初期化処理が完了しているか否かを判定する初期化判定ステップと、外部からの操作入力を受け付け、受け付けられた操作入力に基づいて、該装置を、ＡＶ情報を復号化して出力することが可能な状態である稼働状態、及び、ＡＶ情報を復号化して出力することが不可能な省電力状態であるスタンバイ状態の一方に設定する状態設定ステップと、前記状態設定ステップにおいてスタンバイ状態に設定され、且つ、前記初期化判定ステップにおいて初期化処理が完了していると判定された場合に、前記ＰＣカードの初期化処理が完了した状態を保持する完了状態保持ステップと、を実行することを特徴としている。
【発明の効果】
【００１３】
請求項１に記載の復号化処理装置によれば、主電源が投入された場合に、ＰＣカードの初期化処理が実行され、初期化処理が完了しているか否かが判定され、外部からの操作入力が受け付けられ、受け付けられた操作入力に基づいて、この装置を、ＡＶ情報を復号化して出力することが可能な状態である稼働状態、及び、ＡＶ情報を復号化して出力することが不可能な省電力状態であるスタンバイ状態の一方に設定される。そして、スタンバイ状態に設定され、且つ、初期化処理が完了していると判定された場合に、ＰＣカードの初期化処理が完了した状態が保持されるため、スタンバイ状態から稼働状態に移行した場合に、早期に映像を出力することができる。
【００１４】
すなわち、スタンバイ状態に設定され、且つ、初期化処理が完了していると判定された場合に、ＰＣカードの初期化処理が完了した状態が保持されるため、スタンバイ状態から稼働状態に移行した場合に、ＰＣカードの初期化処理を行う必要がないので、早期に映像を出力することができるのである。
【００１５】
請求項２に記載の復号化処理装置によれば、スタンバイ状態に設定され、且つ、初期化処理が完了していると判定された場合に、ＰＣカードへの電力及び通信を制御するためのクロック信号の供給が継続されるため、ＰＣカードにおいて、初期化処理が完了した状態を保持することができる。
【００１６】
すなわち、スタンバイ状態に設定され、且つ、初期化処理が完了していると判定された場合に、ＰＣカードへの電力及び通信を制御するためのクロック信号の供給が継続されるため、スタンバイ状態に設定された場合であっても、ＰＣカードは動作を継続することが可能となるので、ＰＣカードにおいて、初期化処理が完了した状態を保持することができるのである。
【００１７】
請求項３に記載の復号化処理装置によれば、スタンバイ状態から稼働状態に設定され、且つ、初期化処理が完了していないと判定された場合に、ＰＣカードの初期化処理が実行されるため、適正なタイミングで初期化処理を実行することができる。
【００１８】
請求項４に記載の復号化処理装置によれば、ＰＣカードが装着されたと判定された場合に、ＰＣカードの初期化処理が実行されるため、適正なタイミングで初期化処理を実行することができる。
【００１９】
請求項５に記載の復号化処理装置によれば、該復号化処理装置全体の制御を行うメインＣＰＵと、該復号化処理装置の電力制御を行うサブＣＰＵと、を備え、サブＣＰＵが、少なくとも、初期化処理が完了しているか否かを判定する初期化判定手段、外部からの操作入力を受け付け、受け付けられた操作入力に基づいて、該装置を、ＡＶ情報を復号化して出力することが可能な状態である稼働状態、及び、ＡＶ情報を復号化して出力することが不可能な省電力状態であるスタンバイ状態の一方に設定する状態設定手段、ＰＣカードが装着されているか否かを判定する着脱判定手段、ＰＣカードの初期化処理が完了した状態を保持する完了状態保持手段、及び、初期化実行手段に対して前記ＰＣカードの初期化処理を実行させる初期化指示手段として機能するため、スタンバイ状態においてメインＣＰＵへの電力を供給する必要がないので、省電力を実現することができる。
【００２０】
すなわち、サブＣＰＵにおいてＰＣカードの初期化処理が完了した状態を保持するために必要な処理を全て実行することができるので、ＰＣカードの初期化処理が完了した状態を保持するためにメインＣＰＵへの電力を供給する必要がないので、省電力を実現することができるのである。
【００２１】
請求項６に記載の復号化処理装置によれば、サブＣＰＵが、更に、ＰＣカードの初期化処理を実行する初期化実行手段として機能するため、スタンバイ状態から稼働状態への移行時（又は主電源投入時）のメインＣＰＵの負荷を軽減することができるので、更に早期に映像を出力することができる。
【００２２】
すなわち、スタンバイ状態から稼働状態への移行時（又は主電源投入時）に、メインＣＰＵとサブＣＰＵとの間の通信を可能とする処理が完了する前に、サブＣＰＵがＰＣカードの初期化処理を実行することができるので、更に早期に映像を出力することができるのである。
【００２３】
請求項７に記載のデジタル放送受信装置によれば、請求項１〜請求項６のいずれかに記載の復号化処理装置を備えるため、デジタル放送を介して受信したＡＶ情報を、ＰＣカードを介して複合化してモニタ及びスピーカに出力するデジタル放送受信装置において、スタンバイ状態から稼働状態に移行した場合に、早期に映像を出力することができる。
【００２４】
請求項８に記載の復号化処理方法によれば、主電源が投入された場合に、ＰＣカードの初期化処理が実行され、初期化処理が完了しているか否かが判定され、外部からの操作入力が受け付けられ、受け付けられた操作入力に基づいて、この装置を、ＡＶ情報を復号化して出力することが可能な状態である稼働状態、及び、ＡＶ情報を復号化して出力することが不可能な省電力状態であるスタンバイ状態の一方に設定される。そして、スタンバイ状態に設定され、且つ、初期化処理が完了していると判定された場合に、ＰＣカードの初期化処理が完了した状態が保持されるため、スタンバイ状態から稼働状態に移行した場合に、早期に映像を出力することができる。
【００２５】
すなわち、スタンバイ状態に設定され、且つ、初期化処理が完了していると判定された場合に、ＰＣカードの初期化処理が完了した状態が保持されるため、スタンバイ状態から稼働状態に移行した場合に、ＰＣカードの初期化処理を行う必要がないので、早期に映像を出力することができるのである。
【発明を実施するための最良の形態】
【００２６】
以下に本発明の実施形態を、図面を参照しながら説明する。図１は、本発明に係るデジタル放送受信機の構成の一例を示す構成図である。デジタル放送受信機１００（復号化処理装置、デジタル放送受信装置に相当する）は、ＩＣカード３を着脱自在に構成され、リモートコントローラ（＝Ｒｅｍｏｔｅｃｏｎｔｒｏｌｌｅｒ：以下、「リモコン」という）４と赤外線通信を介して通信可能に接続されると共に、出力装置５と通信可能に接続されている。
【００２７】
デジタル放送受信機１００は、リモコン４を介してユーザからの操作入力を受け付けて、受け付けた操作入力に基づいて、暗号化された（＝スクランブル処理された）テレビジョン放送を受信し、受信した番組情報を、ＩＣカード３を介して復号化して（＝デスクランブル処理を施して）、出力装置５に対して映像及び音声を出力するものである。
【００２８】
ＩＣカード３（ＰＣカードに相当する）は、ＣＰＵ（Ｃｅｎｔｒａｌ  Ｐｒｏｃｅｓｓｉｎｇ  Ｕｎｉｔ）３１が搭載された、いわゆるＰＣカードであって、デジタル放送受信機１００によって受信された番組情報を復号化するための鍵（キー）情報等をデジタル放送受信機１００（後述するデスクランブラ１５４）との間で通信するものである。
【００２９】
また、ＩＣカード３は、デジタル放送受信機１００に着脱自在に構成され、デジタル放送受信機１００（後述する電源制御部２６）から電力及び通信制御するためのクロック信号が供給されて動作するものである。
【００３０】
リモコン４（状態設定手段の一部に相当する）は、ユーザからの操作入力を受け付けて、受け付けられた操作入力に対応する赤外線信号を生成して、デジタル放送受信機１００に対して出力するものである。
【００３１】
出力装置５は、ディスプレイ５１及びスピーカ５２を備え、デジタル放送受信機１００から入力された音声情報及び映像情報を出力するものである。ディスプレイ５１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、デジタル放送受信機１００から入力された映像情報を外部から視認可能に表示するものである。スピーカ５２は、デジタル放送受信機１００から入力された音声情報を出力するものである。
【００３２】
また、デジタル放送受信機１００は、メインブロック１、及び、サブブロック２を備え、メインブロック１及びサブブロック２は、それぞれ独立に電力が供給されるべく構成されている。具体的には、後述する電源制御部２６によって、稼働状態では、メインブロック１及びサブブロック２には、電力が供給されているが、スタンバイ状態では、メインブロック１への電力の供給が遮断されるものである。また、メインブロック１は、メインＣＰＵ１１、ＲＡＭ１２、ＲＯＭ１３、通信部１４、及び、受信部１５を備えている。
【００３３】
メインＣＰＵ１１は、デジタル放送受信機１００全体の動作を制御するものであって、通信部１４を介してサブブロック２に配設されたサブＣＰＵ２１との間で通信が可能に構成されている。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、メインＣＰＵ１１を動作させる制御プログラム等を格納するものである。
【００３４】
通信部１４は、サブブロック２に配設された通信部２４との間で通信を行うものである。また、受信部１５（受信手段に相当する）は、テレビジョン放送を受信して復調するものであって、アンテナ部１５１、チューナ部１５２、復調部１５３、デスクランブラ１５４、デマルチプレクサ１５５、及び、デコーダ１５６を備えている。
【００３５】
アンテナ部１５１は、テレビジョン放送波を受信するものである。チューナ部１５２は、アンテナ部１５１で受信されたテレビジョン放送波から、リモコン４を介して設定されたチャンネルの放送を選局するものである。復調部１５３は、チューナ部１５２からの出力情報を復調するものである。デスクランブラ１５４は、復調部１５３によって復調された情報に対して、ＩＣカード３を介して、復号化処理（＝デスクランブル処理）を施すものである。デマルチプレクサ１５５は、デスクランブラ１５４によって復号化処理された出力情報を種別毎に分離して出力するものである。デコーダ１５６は、デマルチプレクサ１５５から出力された映像情報を圧縮前の映像情報に復号化し、出力装置５へ出力するものである。
【００３６】
サブブロック２は、サブＣＰＵ２１、ＲＡＭ２２、ＲＯＭ２３、通信部２４、リモコン受信部２５、及び、電源制御部２６を備えている。サブＣＰＵ２１は、電源制御及びＩＣカード３の初期化処理の制御等を行うものであって、通信部２４を介してメインブロック１に配設されたメインＣＰＵ１１との間で通信が可能に構成されている。ＲＡＭ２２は、種々の情報を読み書き自在に格納するものである。ＲＯＭ２３は、サブＣＰＵ２１を動作させる制御プログラム等を格納するものである。
【００３７】
通信部２４は、メインブロック１に配設された通信部１４との間で通信を行うものである。リモコン受信部２５は、赤外線通信を介して、リモコン４からの操作信号を受け付けて、受け付けられた操作信号に対応する情報をサブＣＰＵ２１（又はメインＣＰＵ１１）へ出力するものである。電源制御部２６（供給手段に相当する）は、サブＣＰＵ２１（後述する着脱判定部２１１及び状態設定部２１４）からの指示に従って、メインブロック１及びＩＣカード３に対して電力及び通信制御するためのクロック信号を供給するものである。
【００３８】
次に、デジタル放送受信機１００が放送を受信する場合の動作について説明する。まず、送信されてきたデジタル放送波がアンテナ部１５１で受信される。リモコン４を介して選局操作が受け付けられた場合には、チューナ部１５２によって受信するトランスポンダ（Ｔｒａｎｓｐｏｎｄｅｒ）の切換が行われる。受信されたデジタル放送波は、復調部１５３によって復調され、デスクランブラ１５４によって復号化処理される。そして、デマルチプレクサ１５５によって、出力情報を種別毎に分離して出力され、デコーダ１５６によって圧縮前の映像情報に復号化され、出力装置５（ディスプレイ５１及びスピーカ５２）に映像及び音声が出力される。
【００３９】
図２は、本発明に係るデジタル放送受信機１００における主要部（復号化処理装置に相当する）の機能構成の一例を示すブロック図である。デジタル放送受信機１００のメインＣＰＵ１１は、機能的に、初期化実行部１１１、及び、復号化処理部１１２を備え、サブＣＰＵ２１は、機能的に、着脱判定部２１１、初期化指示部２１２、初期化判定部２１３、状態設定部２１４、及び、完了状態保持部２１５を備えている。
【００４０】
ここでは、メインＣＰＵ１１が、図１に示すＲＯＭ１３等に予め格納された制御プログラムを読み出して実行することにより、初期化実行部１１１、復号化処理部１１２等の機能部として機能すると共に、サブＣＰＵ２１が、図１に示すＲＯＭ２３等に予め格納された制御プログラムを読み出して実行することにより、着脱判定部２１１、初期化指示部２１２、初期化判定部２１３、状態設定部２１４、完了状態保持部２１５等の機能部として機能するものである。
【００４１】
また、図１に示すＲＡＭ１２、ＲＯＭ１３、ＲＡＭ２２、ＲＯＭ２３等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４２】
初期化実行部１１１（初期化実行手段に相当する）は、受電が開始された場合に、サブＣＰＵ２１との間で通信を確立すると共に、主電源が投入された場合、及び、初期化指示部２１２から初期化処理を実行する旨の指示を受け付けた場合に、ＩＣカード３の初期化処理を実行するものである。また、初期化実行部１１１は、初期化処理の実行が完了した場合には、その旨の情報をサブＣＰＵ２１へ送信するものである。
【００４３】
なお、「初期化指示部２１２から初期化処理を実行する旨の指示を受け付けた場合」とは、具体的には、「状態設定部２１４によってスタンバイ状態から稼働状態に設定され、且つ、初期化判定部２１３によってＩＣカード３の初期化処理が完了していないと判定された場合」、又は、「着脱判定部２１１によってＩＣカード３が装着されたと判定された場合」である。
【００４４】
ここで、ＩＣカード３の初期化処理について説明する。初期化処理は、下記の５つのステップにより構成されている。
（１）ＩＣカード３へのリセット信号の送信
（２）ＩＣカード３からのＡＴＲ（Ａｎｓｗｅｒ  Ｔｏ  Ｒｅｓｅｔ）信号の受信
（３）ＡＴＲ信号に基づくＩＣカード３との間の通信速度の設定
（４）ＩＦＳＤ（Ｉｎｆｏｒｍａｔｉｏｎ  Ｆｉｅｌｄ  Ｓｉｚｅ  ｆｏｒ  ｉｎｔｅｒｆａｃｅ  Ｄｅｖｉｃｅ：受信可能な情報フィールド長）の変更処理
（５）ＩＣカード３との間の初期設定条件コマンドの送受信
【００４５】
復号化処理部１１２は、初期化処理が完了したＩＣカード３を介して、デスクランブラ１５４に対して復号化処理を実行させるものである。
【００４６】
着脱判定部２１１（着脱判定手段に相当する）は、ＩＣカード３がデジタル放送受信機１００に装着されているか否かを判定するものである。また、着脱判定部２１１は、ＩＣカード３がデジタル放送受信機１００に装着されていないと判定された場合には、その旨の情報をメインＣＰＵ１１へ送信するものである。
【００４７】
初期化指示部２１２（初期化指示手段に相当する）は、状態設定部２１４によってスタンバイ状態から稼働状態に設定され、且つ、初期化判定部２１３によってＩＣカード３の初期化処理が完了していないと判定された場合に、初期化実行部１１１に対してＩＣカード３の初期化処理を実行させるものである。また、初期化指示部２１２は、着脱判定部２１１によってＩＣカード３が装着されたと判定された場合に、初期化実行部１１１に対してＩＣカード３の初期化処理を実行させるものである。
【００４８】
更に、初期化指示部２１２は、状態設定部２１４によってスタンバイ状態から稼働状態に設定された場合、又は、主電源が投入された場合に、メインＣＰＵ１１との間で通信を確立するものである。
【００４９】
初期化判定部２１３（初期化判定手段に相当する）は、初期化実行部１１１によって初期化処理が完了しているか否かを判定するものである。初期化判定部２１３は、ここでは、初期化実行部１１１によって初期化処理が完了している場合には、初期化完了フラグをセットし（＝「１」に設定し）、初期化処理が完了していない場合には、初期化完了フラグをクリア又はリセットする（＝「０」に設定する）ものである。また、初期化判定部２１３は、着脱判定部２１１によって、ＩＣカード３が装着されていないと判定された場合には、初期化完了フラグをクリアするものである。また、初期化判定部２１３は、適時、メインＣＰＵ１１に対して、初期化処理が完了しているか否かの情報を送信するものである。
【００５０】
状態設定部２１４（状態設定手段の一部に相当する）は、リモコン４を介してユーザからの操作入力を受け付け、受け付けられた操作入力に基づいて、デジタル放送受信機１００を、ＡＶ情報を復号化して出力することが可能な状態である稼働状態、及び、ＡＶ情報を復号化して出力することが不可能な省電力状態であるスタンバイ状態の一方に設定するものである。
【００５１】
具体的には、状態設定部２１４は、「稼働状態」に設定する場合（又は、主電源が投入された場合）には、電源制御部２６に対して、メインブロック１及びＩＣカード３に対して電力及び通信制御するためのクロック信号を供給させ、「スタンバイ状態」に設定する場合には、電源制御部２６に対して、メインブロック１に対して電力及び通信制御するためのクロック信号の供給を停止させるものである。
【００５２】
ただし、状態設定部２１４は、「スタンバイ状態」に設定する場合には、メインＣＰＵ１１に対して、「スタンバイ状態」に移行する旨の情報を送信し、メインＣＰＵ１１から、「スタンバイ状態」に移行してもよい旨（＝メインブロック１への電源を遮断してもよい旨）の情報が受信された場合に、電源制御部２６に対して、メインブロック１に対して電力及び通信制御するためのクロック信号の供給を停止させるものである。
【００５３】
完了状態保持部２１５（完了状態保持手段に相当する）は、状態設定部２１４によってスタンバイ状態に設定され、且つ、初期化判定部２１３によって初期化処理が完了していると判定された場合に、ＩＣカード３の初期化処理が完了した状態を保持するものである。具体的には、完了状態保持部２１５は、状態設定部２１４によってスタンバイ状態に設定され、且つ、初期化判定部２１３によって初期化処理が完了していると判定された場合に、電源制御部２６に対して、ＩＣカード３への電力及びクロック信号の供給を継続させるものである。
【００５４】
図３は、デジタル放送受信機１００（主にメインＣＰＵ１１、サブＣＰＵ２１）の動作概要の一例を示すフローチャートである。なお、図３に示すメインＣＰＵ１１及びサブＣＰＵ２１の処理に付したステップの番号は、図４〜図７に示す、メインＣＰＵ１１及びサブＣＰＵ２１の各処理に付したステップの番号と対応させている。
【００５５】
まず、主電源が投入されると、サブＣＰＵ２１からメインＣＰＵ１１に対して給電が開始され（Ｓ１０７、Ｓ１３９）、メインＣＰＵでは、受電が開始される（Ｓ２０１）。そして、サブＣＰＵ２１とメインＣＰＵ１１との間の通信が確立される（Ｓ１０９、Ｓ２０３）。そして、サブＣＰＵ２１からメインＣＰＵ１１に対してＩＣカード３の初期化完了状態が送信される（Ｓ１１５、Ｓ１４３）、メインＣＰＵ１１では初期化完了状態が受信される（Ｓ２０５）。
【００５６】
次いで、サブＣＰＵ２１からＩＣカード３への給電が開始され（Ｓ１１１）、ＩＣカード３では、受電が開始される（Ｓ３０１）。次に、メインＣＰＵ１１では、ＩＣカード３の初期化が完了しているか否かが判定され（Ｓ２０７）、初期化が完了していない場合には、ＩＣカード３の初期化処理が実行される（Ｓ２０９）。そして、ＩＣカード３の初期化が完了すると、メインＣＰＵ１１からサブＣＰＵ２１に対して、初期化が完了した旨の情報が送信され（Ｓ２１３）、サブＣＰＵ２１では、この情報が受信されて、ＩＣカード３の初期化フラグがセットされる（Ｓ１１９）。一方、ＩＣカード３の初期化が完了すると、メインＣＰＵ１１では、ＩＣカード３を介して復号化処理が実行され、映像、音声が出力される（Ｓ２２１）。
【００５７】
そして、サブＣＰＵ２１において、スタンバイ状態へ移行する指示が受け付けられた場合には、その旨の情報がメインＣＰＵ１１に送信され（Ｓ１２９）、メインＣＰＵ１１で受信されて、スタンバイ状態へ移行する処理が実行される（Ｓ２３１）。メインＣＰＵ１１において、スタンバイ状態へ移行する処理が完了すると、スタンバイ状態への移行を許可する旨の情報がサブＣＰＵ２１へ送信され（Ｓ２３５）、サブＣＰＵ２１で受信されて、スタンバイ状態への移行が開始される（Ｓ１３３）。次に、サブＣＰＵ２１から、メインＣＰＵ１１への給電が停止される（Ｓ１３５）。そして、サブＣＰＵ２１において、稼働状態へ移行する指示が受け付けられた場合（Ｓ１３７）には、処理がステップＳ１３９に戻される。
【００５８】
図４、図５は、サブＣＰＵ２１の動作の一例を示すフローチャートである。まず、図４に示すように、状態設定部２１４によって、主電源が投入されたか否かの判定が行われる（Ｓ１０１）。主電源が投入されていないと判定された場合（Ｓ１０１でＮＯ）には、処理が待機状態とされる。主電源が投入されたと判定された場合（Ｓ１０１でＮＯ）には、サブブロック２に対して給電が開始される（Ｓ１０３）。そして、初期化判定部２１３によって、初期化完了フラグがクリアされ（Ｓ１０５）。次いで、状態設定部２１４によって、電源制御部２６を介して、メインブロック１に対して電力及び通信制御するためのクロック信号の供給が開始される（Ｓ１０７）。次に、初期化指示部２１２によって、メインＣＰＵ１１との間の通信が確立される（Ｓ１０９）。
【００５９】
そして、着脱判定部２１１によって、ＩＣカード３が装着されているか否かの判定が行われる（Ｓ１１１）。ＩＣカード３が装着されていないと判定された場合（Ｓ１１１でＮＯ）には、処理が待機状態とされる。ＩＣカード３が装着されていると判定された場合（Ｓ１１１でＹＥＳ）には、状態設定部２１４によって、ＩＣカード３に対して電力及び通信制御するためのクロック信号の供給が開始される（Ｓ１１３）。そして、初期化判定部２１３によって、ＩＣカード３の初期化が完了していない旨の情報がメインＣＰＵ１１へ送信される（Ｓ１１５）。次に、初期化判定部２１３によって、ＩＣカード３の初期化が完了した旨の情報がメインＣＰＵ１１から受信されたか否かの判定が行われる（Ｓ１１７）。
【００６０】
ＩＣカード３の初期化が完了した旨の情報が受信されていないと判定された場合（Ｓ１１７でＮＯ）には、処理が待機状態とされる。ＩＣカード３の初期化が完了した旨の情報が受信されたと判定された場合（Ｓ１１７でＹＥＳ）には、初期化判定部２１３によって、初期化完了フラグがセットされる（Ｓ１１９）。
【００６１】
そして、図５に示すように、着脱判定部２１１によって、ＩＣカード３が取り外されているか否かの判定が行われる（Ｓ１２１）。ＩＣカード３が取り外されていないと判定された場合（Ｓ１２１でＮＯ）には、処理がステップＳ１２７に進められる。ＩＣカード３が取り外されていると判定された場合（Ｓ１２１でＹＥＳ）には、初期化判定部２１３によって、初期化完了フラグがクリアされ（Ｓ１２３）、着脱判定部２１１によって、ＩＣカード３が装着されていない旨の情報がメインＣＰＵ１１へ送信されて（Ｓ１２５）、処理が図４に示すステップＳ１１１に戻され、ステップＳ１１１以降の処理が繰り返し実行される。
【００６２】
Ｓ１２１でＮＯの場合には、完了状態保持部２１５によって、ＩＣカード３の初期化処理が完了した状態を保持され（Ｓ１２７）、状態設定部２１４によって、「稼働状態」から「スタンバイ状態」に設定されたか否かの判定が行われる（Ｓ１２９）。「スタンバイ状態」に設定されていないと判定された（Ｓ１２９でＮＯ）には、処理がステップＳ１３７に進められる。「スタンバイ状態」に設定されたと判定された（Ｓ１２９でＹＥＳ）には、状態設定部２１４によって、メインＣＰＵ１１に対して、「スタンバイ状態」に移行する旨の情報が送信される（Ｓ１３１）。そして、メインブロック１への電源を遮断してもよい旨の情報が受信されたか否かが判定される（Ｓ１３３）。
【００６３】
電源を遮断してもよい旨の情報が受信されていない場合（Ｓ１３３でＮＯ）には、処理が待機状態とされる。電源を遮断してもよい旨の情報が受信された場合（Ｓ１３３でＹＥＳ）には、状態設定部２１４によって、電源制御部２６を介して、メインブロック１に対して電力及び通信制御するためのクロック信号の供給が停止され（Ｓ１３５）、処理がステップＳ１２１に戻され、ステップＳ１２１以降の処理が繰り返し実行される。
【００６４】
ステップＳ１２９でＮＯの場合には、状態設定部２１４によって、「スタンバイ状態」から「稼働状態」に設定されたか否かの判定が行われる（Ｓ１３７）。「稼働状態」に設定されていないと判定された場合（Ｓ１３７でＮＯ）には、処理がステップＳ１２１に戻され、ステップＳ１２１以降の処理が繰り返し実行される。「稼働状態」に設定されたと判定された場合（Ｓ１３７でＹＥＳ）には、状態設定部２１４によって、電源制御部２６を介して、メインブロック１に対して電力及び通信制御するためのクロック信号の供給が開始される（Ｓ１３９）。そして、初期化指示部２１２によって、メインＣＰＵ１１との間の通信が確立される（Ｓ１４１）。次いで、初期化判定部２１３によって、メインＣＰＵ１１に対して、ＩＣカード３の初期化が完了している旨の情報が送信され（Ｓ１４３）、処理がステップＳ１２１に戻され、ステップＳ１２１以降の処理が繰り返し実行される。
【００６５】
図６、図７は、メインＣＰＵ１１の動作の一例を示すフローチャートである。まず、図６に示すように、初期化実行部１１１によって、受電が開始されたか否かの判定が行われる（Ｓ２０１）。受電が開始されていないと判定された場合（Ｓ２０１でＮＯ）には、処理が待機状態とされる。受電が開始されたと判定された場合（Ｓ２０１でＹＥＳ）には、初期化実行部１１１によって、サブＣＰＵ２１との間で通信が確立される（Ｓ２０３）。そして、初期化実行部１１１によって、サブＣＰＵ２１からＩＣカード３の初期化完了状態が受信される（Ｓ２０５）。
【００６６】
そして、初期化実行部１１１によって、ステップＳ２０５においてＩＣカード３の初期化が完了している旨の情報が受信されたか否かの判定が行われる（Ｓ２０７）。初期化が完了している旨の情報が受信されたと判定された場合（Ｓ２０７でＹＥＳ）には、処理がステップＳ２１５に進められる。初期化が完了していない旨の情報が受信されたと判定された場合（Ｓ２０７でＮＯ）には、初期化実行部１１１によって、ＩＣカード３の初期化処理が実行される（Ｓ２０９）。そして、初期化実行部１１１によって、初期化処理が完了したか否かの判定が行われる（Ｓ２１１）。初期化処理が完了していないと判定された場合（Ｓ２１１でＮＯ）には、処理が待機状態とされる。初期化処理が完了したと判定された場合（Ｓ２１１でＹＥＳ）には、初期化実行部１１１によって、初期化処理が完了した旨の情報がサブＣＰＵ２１へ送信され（Ｓ２１３）、初期選局が行われる（Ｓ２１５）。
【００６７】
次に、図７に示すように、チューナ部１５２の制御（＝放送波の受信動作）が行われ（Ｓ２１７）、復号化処理部１１２によって、ＰＳＩ（Ｐｒｏｇｒａｍ  Ｓｐｅｃｉｆｉｃ  Ｉｎｆｏｒｍａｔｉｏｎ）が取得される（Ｓ２１９）。そして、復号化処理部１１２によって、復号化処理が実行され（Ｓ２２１）、出力装置５にＡＶ情報が出力される（Ｓ２２３）。
【００６８】
そして、サブＣＰＵ２１から、スタンバイ状態への移行指示が受け付けられたか否かの判定が行われる（Ｓ２２５）。スタンバイ状態への移行指示が受け付けられたと判定された場合（Ｓ２２５でＹＥＳ）には、処理がステップＳ２３１に進められる。スタンバイ状態への移行指示が受け付けられていないと判定された場合（Ｓ２２５でＮＯ）には、ＩＣカード３が取り外された旨の情報が受信されたか否かの判定が行われる（Ｓ２２７）。ＩＣカード３が取り外された旨の情報が受信されたと判定された場合（Ｓ２２７でＹＥＳ）には、処理がステップＳ２３７に進められる。ＩＣカード３が取り外された旨の情報が受信されていないと判定された場合（Ｓ２２７でＮＯ）には、リモコン４からの選局が受け付けられたか否かの判定が行われる（Ｓ２２９）。
【００６９】
リモコン４からの選局が受け付けられたと判定された場合（Ｓ２２９でＹＥＳ）には、処理がステップＳ２１７に戻され、ステップＳ２１７以降の処理が繰り返し実行される。リモコン４からの選局が受け付けられていないと判定された場合（Ｓ２２９でＮＯ）には、処理がステップＳ２２１に戻され、ステップＳ２２１以降の処理が繰り返し実行される。
【００７０】
ステップＳ２２５でＮＯの場合には、スタンバイ状態への移行処理が実行され（Ｓ２３１）、スタンバイ状態への移行処理が完了したか否かの判定が行われる（Ｓ２３３）。スタンバイ状態への移行処理が完了していないと判定された場合（Ｓ２３３でＮＯ）には、処理がステップＳ２３１に戻され、移行処理が継続して実行される。スタンバイ状態への移行処理が完了したと判定された場合（Ｓ２３３でＹＥＳ）には、サブＣＰＵ２１に対して、スタンバイ状態に移行してもよい旨の情報が送信され（Ｓ２３５）、処理がリターンされる。
【００７１】
ステップＳ２２７でＹＥＳの場合には、復号化処理部１１２によって復号化処理が停止され（Ｓ２３７）、出力装置５へのＡＶ情報の出力が停止される（Ｓ２３９）。そして、サブＣＰＵ２１から、ＩＣカード３が装着された旨の情報が受信されたか否かの判定が行われる（Ｓ２４１）。ＩＣカード３が装着された旨の情報が受信されていないと判定された場合（Ｓ２４１でＮＯ）には、処理が待機状態とされる。ＩＣカード３が装着された旨の情報が受信されたと判定された場合（Ｓ２４１でＹＥＳ）には、処理が図６に示すステップＳ２０９に戻され、ステップＳ２０９以降の処理が繰り返し実行される。
【００７２】
このようにして、主電源が投入された場合に、ＩＣカード３の初期化処理が実行され、初期化処理が完了しているか否かが判定され、リモコン４を介してユーザからの操作入力が受け付けられ、受け付けられた操作入力に基づいて、デジタル放送受信機１００を、ＡＶ情報を復号化して出力することが可能な状態である稼働状態、及び、ＡＶ情報を復号化して出力することが不可能な省電力状態であるスタンバイ状態の一方に設定される。そして、スタンバイ状態に設定され、且つ、初期化処理が完了していると判定された場合に、ＩＣカード３の初期化処理が完了した状態が保持されるため、スタンバイ状態から稼働状態に移行した場合に、早期に映像を出力することができる。
【００７３】
すなわち、スタンバイ状態に設定され、且つ、初期化処理が完了していると判定された場合に、ＩＣカード３の初期化処理が完了した状態が保持されるため、スタンバイ状態から稼働状態に移行した場合に、ＩＣカード３の初期化処理を行う必要がないので、早期に映像を出力することができるのである。
【００７４】
また、スタンバイ状態に設定され、且つ、初期化処理が完了していると判定された場合に、ＩＣカード３への電力及び通信を制御するためのクロック信号の供給が継続されるため、ＩＣカード３において、初期化処理が完了した状態を保持することができる。
【００７５】
すなわち、スタンバイ状態に設定され、且つ、初期化処理が完了していると判定された場合に、ＩＣカード３への電力及び通信を制御するためのクロック信号の供給が継続されるため、スタンバイ状態に設定された場合であっても、ＩＣカード３は動作を継続することが可能となるので、ＩＣカード３において、初期化処理が完了した状態を保持することができるのである。
【００７６】
更に、スタンバイ状態から稼働状態に設定され、且つ、初期化処理が完了していないと判定された場合に、ＩＣカード３の初期化処理が実行されるため、適正なタイミングで初期化処理を実行することができる。
【００７７】
加えて、ＩＣカード３が装着されたと判定された場合に、ＩＣカード３の初期化処理が実行されるため、適正なタイミングで初期化処理を実行することができる。
【００７８】
また、デジタル放送受信機１００全体の制御を行うメインＣＰＵ１１と、デジタル放送受信機１００の電力制御を行うサブＣＰＵ２１と、を備え、サブＣＰＵ２１が、初期化処理が完了しているか否かを判定する初期化判定部２１３、リモコン４を介してユーザからの操作入力を受け付け、受け付けられた操作入力に基づいて、デジタル放送受信機１００を、ＡＶ情報を復号化して出力することが可能な状態である稼働状態、及び、ＡＶ情報を復号化して出力することが不可能な省電力状態であるスタンバイ状態の一方に設定する状態設定部２１４、ＩＣカード３が装着されているか否かを判定する着脱判定部２１１、ＩＣカード３の初期化処理が完了した状態を保持する完了状態保持部２１５、及び、初期化実行部１１１に対してＩＣカード３の初期化処理を実行させる初期化指示部２１２として機能するため、スタンバイ状態においてメインＣＰＵ１１への電力を供給する必要がないので、省電力を実現することができる。
【００７９】
すなわち、サブＣＰＵ２１においてＩＣカード３の初期化処理が完了した状態を保持するために必要な処理を全て実行することができるので、ＩＣカード３の初期化処理が完了した状態を保持するためにメインＣＰＵ１１への電力を供給する必要がないので、省電力を実現することができるのである。
【００８０】
なお、本発明は、以下の形態にも適用可能である。
（Ａ）本実施形態では、復号化処理装置が、デジタル方式のテレビジョン放送を受信するデジタル放送受信機１００である場合について説明したが、復号化処理装置が、その他の方法で（例えば、インターネットを介して）暗号化されたＡＶ情報を取得する形態でもよい。
【００８１】
（Ｂ）本実施形態では、デジタル放送受信機１００が、２個のＣＰＵ（メインＣＰＵ１１、サブＣＰＵ２１）を備える形態について説明したが、１のＣＰＵを備える形態でもよいし、３個以上のＣＰＵを備える形態でもよい。
【００８２】
（Ｃ）本実施形態では、サブＣＰＵ２１が、機能的に、着脱判定部２１１、初期化指示部２１２、初期化判定部２１３、状態設定部２１４、完了状態保持部２１５を備える場合について説明したが、サブＣＰＵ２１が、更に、ＩＣカード３の初期化処理を実行する機能部である初期化実行部を備える形態でもよい。
【００８３】
この場合には、サブＣＰＵ１１が、更に、ＩＣカード３の初期化処理を実行する初期化実行部として機能するため、スタンバイ状態から稼働状態への移行時（又は主電源投入時）のメインＣＰＵ１１の負荷を軽減することができるので、更に早期に映像を出力することができる。
【００８４】
すなわち、スタンバイ状態から稼働状態への移行時（又は主電源投入時）に、メインＣＰＵとサブＣＰＵとの間の通信を可能とする処理が完了する前に、サブＣＰＵがＩＣカード３の初期化処理を実行することができるので、更に早期に映像を出力することができるのである。
【００８５】
（Ｄ）本実施形態では、メインＣＰＵ１１が、初期化実行部１１１、復号化処理部１１２等の機能部として機能し、サブＣＰＵ２１が、着脱判定部２１１、初期化指示部２１２、初期化判定部２１３、状態設定部２１４、完了状態保持部２１５等の機能部として機能する場合について説明したが、初期化実行部１１１、復号化処理部１１２、着脱判定部２１１、初期化指示部２１２、初期化判定部２１３、状態設定部２１４、及び、完了状態保持部２１５の内、少なくとも１の機能部が、回路等のハードウェアによって構成されている形態でもよい。
【図面の簡単な説明】
【００８６】
【図１】は、本発明に係るデジタル放送受信機の構成の一例を示す構成図である。
【図２】は、本発明に係るデジタル放送受信機における主要部（復号化処理装置に相当する）の機能構成の一例を示すブロック図である。
【図３】は、デジタル放送受信機（主にメインＣＰＵ、サブＣＰＵ）の動作概要の一例を示すフローチャートである。
【図４】は、サブＣＰＵの動作の一例を示すフローチャート（前半部）である。
【図５】は、サブＣＰＵの動作の一例を示すフローチャート（後半部）である。
【図６】は、メインＣＰＵの動作の一例を示すフローチャート（前半部）である。
【図７】は、メインＣＰＵの動作の一例を示すフローチャート（後半部）である。
【符号の説明】
【００８７】
１００    デジタル放送受信機（復号化処理装置、デジタル放送受信装置）
１    メインブロック
１５    受信部（受信手段）
１５１    アンテナ部
１５２    チューナ部
１５３    復調部
１５４    デスクランブラ
１５５    デマルチプレクサ
１５６    デコーダ
１１    メインＣＰＵ
１１１初期化実行部（初期化実行手段）
１１２復号化処理部
２    サブブロック
２１    サブＣＰＵ
２１１    着脱判定部（着脱判定手段）
２１２    初期化指示部（初期化指示手段）
２１３    初期化判定部（初期化判定手段）
２１４    状態設定部（状態設定手段の一部）
２１５    完了状態保持部
２５    リモコン受信部
２６    電源制御部
３    ＩＣカード（ＰＣカード）
３１    ＣＰＵ
４    リモコン（状態設定手段の一部）
５    出力装置
５１    ディスプレイ（モニタ）
５２    スピーカ
【図１】
2009016991.tif 000003
【図２】
2009016991.tif 000004
【図３】
2009016991.tif 000005
【図４】
2009016991.tif 000006
【図５】
2009016991.tif 000007
【図６】
2009016991.tif 000008
【図７】
2009016991.tif 000009